(57)【要約】【課題】従来はタイツのパンテイ部や脚部などの編組織は、単一な編組織で形成されており、且つ糸使いも不十分であったために、腹部や臀部、脚部、足部等の各部位に対応した最適な着用圧が得られず、着脱性や心地よい着用感などが得られにくい欠点があった。本発明では腹部や臀部、脚部などの各部位に対応して最適な編組織や糸使いを採用してパンテイ部の保温性やゆったり感など優れた着脱性や着用感が得られるようにしたものである。【解決手段】パンテイ部、脚部及び足部からなるタイツにおいて、靴下丸編機の外径が６〜７インチの範囲からなる丸編機を用いて平編とタック編の組み合わせにより、パンテイ部を広幅に編成し、更に脚部や足部を平編や浮編を利用して幅狭に編成して締付力や着脱性や着用感などの優れたタイツが得られるようにしたものである。【選択図】図１
2004346434.tif 000002
【特許請求の範囲】
【請求項１】
パンテイ部、脚部及び足部からなるタイツにおいて、靴下丸編機のシリンダーの外径が６〜７インチの範囲からなる丸編機を用いて同タイツを編成するに際し、靴下丸編機のシリンダー側に４８０〜６２０本の範囲の編針を装着してパンテイ部を編成し、脚部及び足部はパンテイ部編成時の４０〜６０％の針本数で編成したことを特徴とするタイツ。
【請求項２】
パンテイ部の前身頃及び臀部の上方周辺部を形成するに際し、伸縮性並びに嵩高性糸条を用いて平編ループによる編コースとタック編ループを数ウエールづつ連続して形成した編コースとを順次繰り返し編成し、且つタック編ループの位置を各編コース毎に数ウエールづつ左又は右方向にずらして編成した編組織で形成したことを特徴とする請求項１記載のタイツ。
【請求項３】
後身頃側臀部を形成するに際し、伸縮性並びに嵩高性糸条を用いて平編ループによる編コースとタック編ループを含む編コースとを順次繰り返し編成し、且つタック編ループの位置を各編コース毎に左又は右方向にずらして編成した編組織で形成したことを特徴とする請求項１記載のタイツ。
【請求項４】
後身頃側臀部の下方周辺部を形成するに際し、伸縮性並びに嵩高性糸条により平編ループによる編コースと平編ループとタック編ループを含む編コースとを順次繰り返して編成した編組織で形成したことを特徴とする請求項１記載のタイツ。
【請求項５】
前身側大腿部及び後身側膝部を形成するに際し、伸縮性並びに嵩高性糸条により平編ループによる編組織で形成したことを特徴とする請求項１記載のタイツ。
【請求項６】
後身側大腿部を形成するに際し、伸縮性並びに嵩高性糸条を用いて平編ループによる編コースと平編ループと浮編ループを含む編コースとを順次繰り返して編成し、且つ浮編ループの位置を各編コース毎に左又は右方向にずらした位置で編成するようにした編組織で形成したことを特徴とする請求項１記載のタイツ。
【請求項７】
膝下部から爪先部に至る部位を形成するに際し、伸縮性並びに嵩高性糸条を用いて平編ループによる編コースと浮編ループを含む編コースとを順次繰り返し編成した編組織で形成したことを特徴とする請求項１記載のタイツ。
【請求項８】
請求項１〜７の構成より成るタイツ。
【発明の詳細な説明】
【０００１】
【発明の属する技術分野】
本発明は、広口径の靴下丸編機でタイツを編成し、広幅でゆったり感や保温性に富んだパンテイ部を形成すると共に、細幅で締付け感やフィット性に富んだ脚部や足部を形成し、好適な着用感や着脱性が得られるようにしたタイツに関するものである。
【０００２】
【従来の技術】
従来はタイツのパンテイ部や脚部などの各部位における編成生地は、単一の編組織や糸使いで形成されている場合が多かった。また、丸編地からなる運動用スパッツにおいて、運動に必要な筋肉のサポートの要求に応じて比較的緊締力の強い部分とそれ以外の比較的緊締力の弱い部分をパターン的に形成するものが提案されている。（特許文献１、特許文献２）
【０００３】
【特許文献１】
特公平７−４９６０２号公報
【特許文献２】
特開２００１−２１４３０３号公報
【０００４】
【発明が解決しようとする課題】
上記の如く、従来のタイツの場合は、パンテイ部や脚部などの各部位において、編成生地は単一の編組織や糸使いで形成されているために、腹部や臀部、脚部、足部等の各部位に対応した最適な着用圧が得られず、着脱性や心地よい着用感が得られにくい欠点があった。また上記公知例に記載された運動用スパッツの場合は、外衣として着用するもので、比較的緊締力の強い部分と弱い部分を部位別にパターン的に構成することにより、所望の目的、効果が得られるが、タイツのように直接肌の表面上に着用する場合は、強弱２種類の編成パターンでは、腹部や臀部、脚部、足部等の各部位に対応した着用圧や心地よい着用感が満足に得られない欠点があった。
【０００５】
【課題を解決するための手段】
本発明は、上記のような課題を解決するためにパンテイ部、脚部及び足部からなるタイツにおいて、靴下丸編機のシリンダーの外径が６〜７インチの範囲からなる丸編機を用いて同タイツを編成するに際し、靴下丸編機のシリンダー側に針本数が４８０〜６２０本の範囲の編針を装着してパンテイ部を編成すると共に、脚部及び足部の編成時はパンテイ部編成時の針本数の４０〜６０％の針本数で連続して筒状の編地を編成することにより、パンテイ部の身幅が幅広になってゆったり感が肌で感じられ、また腹部への締付け感が少なくなり、更にパンテイ部内でのヒップの収まりがよくなって着用感や着脱性、シルエット感などが向上する。更に脚部及び足部の編成は、編針の本数を４０〜６０％に減らすことにより、脚部や足部が幅狭に編成され、且つ編地による締付け感が向上してフィット性に優れ、しかも履き心地が増大するなど着用感に優れたタイツが得られるのである。
以下、これについて詳細に説明する。
【０００６】
本発明において、パンテイ部の前身頃、臀部の上方周辺部を形成するのに、伸縮性並びに嵩高性糸条を用いて平編ループによる編コースとタック編ループを数ウエールづつ連続して形成した編コースとを順次繰り返し編成し、且つタック編ループの位置を各編コース毎に数ウエールづつ左又は右方向にずらして編成した編組織の編地で形成し、また、後身頃側臀部を形成するのに、伸縮性並びに嵩高性糸条を用いて平編ループによる編コースとタック編ループを含む編コースとを順次繰り返し編成し、且つタック編ループの位置を各編コース毎に左又は右方向にずらして編成した編組織で形成する。更に、後身頃側臀部の下方周辺部を形成するのに、伸縮性並びに嵩高性糸条により平編ループによる編コースと平編ループとタック編ループを含む編コースとを順次繰り返して編成した編組織で形成したことにより、前身頃側ではパイル調編地により保温性が向上し、また身幅が幅広になって腹部への締付け感が少なくなり、ゆったり感や着用感が向上する。更に幅広に形成された後身頃側臀部内には凸状のヒップがゆったりと収まり、生地が無理に引っ張られることもなく、臀部の上方周辺部、後身頃側臀部の下方周辺部を前記構成としたこととも相俟って、臀部側に程良い適宜の締付感が付与されるとともに、ヒップアップ効果と美麗なシルエット感が得られ、更には着脱性が向上するのである。
【０００７】
また、前身側大腿部及び後身側膝部を形成するのに、伸縮性並びに嵩高性糸条により平編ループによる編組織で形成することにより、脚部や大腿部の屈伸動作時に大腿部側では伸縮性に富んだ平編組織がよく追従して窮屈感が緩和されるとともに、優れたフィット性が得られ、また後身側膝部における生地の伸縮性が優れているため膝部の屈伸動作に疲れが生ぜず、着用感やフィット性が向上するのである。
【０００８】
更に、後身側大腿部においては、伸縮性並びに嵩高性糸条により平編による編コースと平編ループと浮編ループを含む編コースとを順次繰り返し編成し、且つ浮編ループの位置を各編コース毎に左又は右方向にずらした位置で編成するようにしたことにより、大腿部の後身側では生地のウエール方向の伸びが抑えられることにより締付感が付与され、大腿部の後身側における筋肉の動きが確実にサポートされて筋肉への無理な負担がより軽減され、着用感やフィット性が向上するのである。
【０００９】
また、膝下部から爪先部に至る部位を形成するのに、伸縮性並びに嵩高性糸条を用いて平編ループによる編コースと浮編ループを含む編コースとを順次繰り返し編成した編組織で形成することにより、生地の締付力が向上し、フィット性が良くなり、ふくらはぎや足首部においては心地よい緊迫感や締付感が得られるのである。
本発明は、かかる構成を部分的、或いは、全体に用いてその効果を発現するものであるが、バランスの取れた優れた着用感を得るためには、全ての構成を組み合わせて用いることが望ましい。
以下、具体的に例示した図面に基づいて本発明の実施の形態を説明する。
【００１０】
【発明の実施の形態】
図１〜図３は本発明タイツ１の構成を模式的に示すもので、図１は側面より見た斜視図、図２は正面図、図３は背面図である。図において、２はパンテイ部、１５は脚部、１６は前身側大腿部、１７は後身側大腿部、２０は前身側膝部、２１は後身側膝部、２４は膝下部、２５は脛部、２６はふくらはぎ部、３０は足部である。尚、パンテイ部２の上端周縁部にはゴム糸入り伸縮性バンド５が周知の手段で縫着１２してある。７はパンテイ部２の前身頃、８はパンテイ部２の後身頃側臀部（ヒップ部）、１０、１１は夫々後身頃側臀部７の上方周辺部並びに下方周辺部である。
かかる構成の本発明タイツは、筒状に編成された１対の編地を用い、パンティ部相当部に切れ目を入れて裁断縁どうしをつき合わせて縫着１３して一体化したもので、足部３０の爪先部３２は周知の手段により、袋状に縫着したものである。なお、本発明において、対象をタイツとしているが、パンティストッキング、スパッツ等もこれに含むものであり、また、部分的にその機能を備えたストッキング等もこれに属する。
【００１１】
次いで、各部位における編組織や糸使いについて述べる。
先ずパンテイ部２の前身頃７及び後身頃側臀部８の上方周辺部１０においては、図４の如く、平編とタック編の組み合わせによるパイル調編地５０で構成するようにしたものである。具体的には先ず第１コース（１）においては、糸条５１にて平編ループ５２、第３のコース（３）においては、平編ループ５３を夫々連続編成し、第２コース（２）においては、糸条５５により平編ループ５６を編成すると共に、前記平編ループ５３の位置でタック編ループ５７を３ウエールに亘って係止、編成するのである。
第４コース（４）では、前記の平編ループ５２、５３及び平編ループ５６及びタック編ループ５７の位置を全体的に２ウエールだけ左又は右方向に移動したような状態で編成してある。
即ち、第２コースでは糸条５１による平編ループ５２を前記タック編ループ５７の中央位置で係止、編成し、更に第４コースでは糸条５５による平編ループ５６を第３コースにおける平編ループ５２の位置で係止、編成し、且つタック編ループ５７を第２コースにおけるタック編ループ５７の位置よりも右方向に２ウエールだけ移動した位置で形成し、編成してある。以下第１〜第４コースの繰り返し編成が行われ、パイル調編地５０が編成されるのである。
尚、上記の如く糸条５５によりよりタック編ループ５７を３ウエールに亘って係止、編成を３ウエールに亘って係止、編成するようにした１×３タックメッシュであるが、タック編ループ５７を例えば５ウエールの長さに亘って係止、編成してもよく、要するにタック編ループ５７を数個のウエールの長さに亘って編成するようにしてもよいのである。
しかしながら、前記の各機能上、本例に示す３ウエールにわたるのが好ましい。
【００１２】
尚、第１及び第３コースにおける糸条５１の糸使いとしては、カバリングヤーンを用いるもので、例えば５６〜１１０デシテックスの範囲のポリウレタン弾性繊維に５６〜１３２デシテックスの範囲の仮撚加工を施した嵩高性ポリアミド繊維をシングルカバーしたもので、１例として７８デシテックスのポリウレタン弾性繊維に６６デシテックスの仮撚加工を施した嵩高性のポリアミド繊維をシングルカバーしたものを使用する。また第２及び第４コースにおける糸条５５の糸使いとしては、上記の糸条５１に更に５６〜１３２デシテックスの範囲の仮撚加工を施した嵩高性ポリアミド繊維を添糸（引き揃え糸）して使用する。１例として６６デシテックス、５５フィラメントの嵩高加工糸が例示できる。
かかる構成により、伸縮性並びに嵩高性に富んだ糸条によるタック編ループによって平編ループ５３、５３、５３がパイル状の外観を呈し、肌触りの良好なパイル調編地５０が得られるのである。また前身頃７及び後身頃側臀部８の上方周辺部１０においては、身幅が幅広になって腹部への締付け感が少なくなり、更にパンテイ部の前身側をパイル調編地で形成したことにより、保温性が向上し、着用感や着脱性、保温性等に優れたタイツが得られるのである。
【００１３】
パンテイ部２の後身頃側臀部８においては、図５の如く、平編とタック編の組み合わせによる臀部緊締用編地６０を編成するのである。具体的には先ず第１コース（１）において、糸条６１にて平編ループ６２、６３を夫々交互に連続編成すると共に、第２コース（２）においては、糸条６５による平編ループ６６を前記平編ループ６２に係止して編成すると共に、前記平編ループ６３側にタック編ループ６７を係止し、編成するのである。
次いで第３のコース（３）及び第４コース（４）では、前記の平編ループ６２、６３、６６及びタック編ループ６７の位置を全体的に１ウエールだけ左又は右方向に移動したような状態で編成する。即ち第３コースにおいて、糸条６１による平編ループ６２を前記平編ループ６３の位置で係止して編成し、更に第４コースにおいては、糸条６５による平編ループ６６を前記平編ループ６２に係止して編成すると共に、前記平編ループ６３側にタック編ループ６７を係止し、編成するのである。以下第１〜第４コースの繰り返し編成が行われ、臀部緊締用編地６０が編成されるのである。
尚、第１及び第３コースにおける糸条６１の糸使いとしては、カバリングヤーンを用いるもので、例えば５６〜１１０デシテックスの範囲のポリウレタン弾性繊維に５６〜１３２デシテックスの範囲の仮撚加工を施した嵩高性ポリアミド繊維をシングルカバーしたもので、１例として前記同様に７８デシテックスのポリウレタン弾性繊維に６６デシテックスの仮撚加工を施した嵩高性のポリアミド繊維をシングルカバーしたものを使用するのである。また第２及び第４コースにおける糸条６５の糸使いとしては、上記の糸条６１に更に５６〜１３２デシテックスの範囲の仮撚加工を施した嵩高性ポリアミド繊維を添糸（引き揃え糸）して使用するのである。１例として６６デシテックス、５５フィラメントの嵩高加工糸が例示できる。
従って伸縮性並びに嵩高性に富んだ糸条６１及び６５によって平編ループ６３が浮き出て嵩高性の外観を呈し、且つタック編ループ６７を介して締付け感が付与され、このようにして臀部緊締用編地６０が得られるのである。
なお、本例に示す１×１タックメッシュが各機能上好ましいが、１×３のタックメッシュでの構成も可能である。
【００１４】
後身頃側臀部８の下方周辺部１１においては、図６の如く、平編とタック編の組み合わせによるヒップ部押上緊締用編地７０により構成される。具体的には第１コース（１）において、糸条７１にて平編ループ７２、７３を夫々１ウエールづつ繰り返し編成すると共に、第２コース（２）においては、糸条７５による平編ループ７６を前記平編ループ７２側に係止して編成すると共に、前記平編ループ７３側にタック編ループ７７を係止して編成するもので、以下第１コース及び第２コースの編成が繰り返し行われる１×１タックストライプである。
尚、第１コースにおける糸条７１の糸使いとしては、カバリングヤーンを用いるもので、例えば５６〜１１０デシテックスの範囲のポリウレタン弾性繊維に５６〜１３２デシテックスの範囲の仮撚加工を施した嵩高性ポリアミド繊維をシングルカバーしたもので、１例としては前記同様に７８デシテックスのポリウレタン弾性繊維に６６デシテックスの仮撚加工を施した嵩高性ポリアミド繊維をシングルカバーしたものを使用するのである。また第２コースにおける糸条７５の糸使いとしては、上記の糸条７１に更に５６〜１３２デシテックスの範囲の仮撚加工を施した嵩高性ポリアミド繊維を添糸（引き揃え糸）して使用するのである。１例として６６デシテックス、５５フィラメントの嵩高加工糸が例示できる。
かかる構成、即ち、伸縮性並びに嵩高性に富んだ糸条７１による平編ループ７３がコース方向、即ち生地の編立方向に連続して浮き出て嵩高性の外観を呈し、且つタック編ループ７７を介して編地が引き締まり、後身頃側臀部８の押し上げが可能となる、即ちヒップの押し上げを確実にしたヒップ部押上緊締用編地７０が得られるのである。
なお、本例に示す１×１タックストライプが各機能上好ましいが、１×３のタックメッシュでの構成も可能である。
【００１５】
前身側大腿部１６並びに後身側膝部２１は、図７の如く糸条７９による平編ループ８０で形成された伸縮性平編地８１で夫々構成される。尚、糸条７９の糸使いとしては、カバリングヤーンの引き揃え糸を用いるもので、例えば５６〜１１０デシテックスの範囲のポリウレタン弾性繊維に５６〜１３２デシテックスの範囲の仮撚加工を施した嵩高性ポリアミド繊維をシングルカバーしたカバリングヤーンに対して、更に添え糸として５６〜１３２デシテックスの範囲の仮撚加工を施した嵩高性ポリアミド繊維を用いるもので、このようなカバリングヤーンの引き揃え糸を糸条７９に使用するのである。具体的な糸使いの一例としては、前記パンティ部で説明したものが例示できる。
かかる構成、即ち、伸縮性並びに嵩高性に富んだ糸条７９により、編成された伸縮性平編地８１は伸縮性に極めて富んでおり、前身側大腿部１６並びに後身側膝部２１の屈伸運動に際して同平編地８１も同時に伸縮して対応し、フィット性が良好で、且つ肌触りの良好な着用感が得られるのである。
【００１６】
後身側大腿部１７は、図８の如く平編による緊締用編地８３で構成されるようにしてある。具体的には先ず第１コース（１）においては、糸条８４にて平編ループ８５、８６を連続編成し、次いで第２コース（２）においては、糸条８４により平編ループ８７及び浮編ループ８８を１ウエール置きに連続編成し、次いで第３コース（３）においては、糸条８４により平編ループ８５、８６を連続編成し、次いで第４コース（４）においては、糸条８４により浮編ループ８８及び平編ループ８７を１ウエール置きに連続編成する１×１ニットメッシュで、浮編ループ８８の位置が前記第２コースの場合よりも１ウエールだけ左又は右方向にずれた位置で形成されるように編成してある。以下第１〜第４コースの繰り返し編成が行われ、緊締用編地８３が編成される。
尚、第１〜第４コースにおける糸条８４の糸使いとしては、カバリングヤーンの引き揃え糸を用いるもので、例えば５６〜１１０デシテックスの範囲のポリウレタン弾性繊維に５６〜１３２デシテックスの範囲の仮撚加工を施した嵩高性ポリアミド繊維をシングルカバーして形成したカバリングヤーンに対して、更に添え糸として５６〜１３２デシテックスの範囲の仮撚加工を施した嵩高性ポリアミド繊維を用いるもので、具体的な糸使いの一例としては、前記パンティ部で説明したものが例示できる。
かかる構成、即ち、伸縮性並びに嵩高性に富んだ糸条８４によって１コース置きに編成された浮編ループ８８を１ウエールづつ左右にずらして対照的に形成することにより、伸縮性がある程度押さえられた緊締用編地８３が得られ、後身側大腿部１７に対して締付け感を付与することができるのである。
なお、本例に示す１×１ニットメッシュが各機能上好ましいが、１×３のニットメッシュでの構成も可能である。
【００１７】
膝下部２４から爪先部３２に至る部位については、図９の如く平編による緊締用編地９０で構成されるようにしてある。具体的には先ず第１コース（１）においては、糸条９１により平編ループ９２、９３を連続編成し、次いで第２コース（２）においては、糸条９１により平編ループ９５及び浮編ループ９６を夫々１ウエール置きに連続編成し、以下第１〜第２コースの繰り返し編成が行われ、１×１ニットミスストライプの緊締用編地９０が編成されるのである。
尚、上記糸条９１の糸使いとしては、カバリングヤーンの引き揃え糸を用いるもので、例えば５６〜１１０デシテックスの範囲のポリウレタン弾性繊維に５６〜１３２デシテックスの範囲の仮撚加工を施した嵩高性ポリアミド繊維をシングルカバーして形成したカバリングヤーンに対して、更に添え糸として５６〜１３２デシテックスの範囲の仮撚加工を施した嵩高性ポリアミド繊維を用いるもので、具体的な糸使いの一例としては、前記パンティ部で説明したものが例示できる。
かかる構成、即ち、伸縮性並びに嵩高性に富んだ糸条９１によって編成された各コースにおける平編ループ９２、９３並びに平編ループ９５、浮編ループ９６が夫々コース方向（編立方向）に直線状に配置されることにより、締付け感に富んだ緊締用編地９０が得られ、膝下部２４から爪先部３２に至る各部位における屈伸運動に際して程良い締付け感が付与され、好適な着用感が得られるのである。なお、本例に示す１×１ニットミスストライプが各機能上好ましいが、１×３のニットミスストライプでの構成も可能である。
【００１８】
本発明において、後身側大腿部１７に用いる緊締用編地８３を膝下部２４から爪先部３２に至る部位に用いる緊締用編地９０と置換し、更に膝下部２４から爪先部３２に至る部位に用いる緊締用編地９０を後身側大腿部１７に用いる緊締用編地８３と置換して使用するようにしてもよい。
【００１９】
本発明において、前記した編組織を連続的に編立てるための編機としては、例えば針本数の増減や編密度（編度目）の調整、並びに編組織変更時のカムの調整等を自動的に可能とし、シリンダーの外径が６〜７インチ程度であるイタリアのマテック社製の広口幅サイズの編機が具体的に例示できる。
本例においては、これを用いて編成する際、パンテイ部１を編成する場合と脚部１５及び足部３０を編成する場合において、使用するシリンダーの針本数の割合を２：１としている。具体的には、パンテイ部１を編成する場合のシリンダーの針本数を６１６本とした場合、脚部１５及び足部３０を編成する場合のシリンダーの針本数は３０８本にして編成するのであり、これにより、パンテイ部１は広幅に編成されてゆったりしたパンテイ部１が得られ、一方脚部１５及び足部３０は幅狭に編成されるので、締付感に富んだ脚部１５及び足部３０が得られるのである。
かかる割合は、使用素材、網組織、所望の機能等により、適宜の割合に選択することが可能であり、その際、パンティ部における針本数に対し、レッグ部（脚部、足部）の針本数の割合を３５〜６５％、好ましくは、４０〜６０％、より好ましくは５０％とすることが必要である。
【００２０】
【発明の効果】
本発明は以上の如く、タイツのパンテイ部を広幅で、且つ前身側をパイル調編地で形成したことにより、着用時に腰回りがゆったりして圧迫感がなく、且つヒップの収まりがよく、更に前身側に優れた保温性が付与されたことにより、下腹部の冷えが解消され、優れた着用感が得られるのである。また脚部や足部の各部位において、各部位に適合した最適な編組織と糸使いを介して編成したことにより、各部位に最適な締付感が得られ動き易く、疲れにくい等、優れた着用感が発揮されるのである。
【図面の簡単な説明】
【図１】本発明タイツを模式的に示した斜視図。
【図２】同上、正面図。
【図３】同上、背面図。
【図４】本発明パンテイ部の前身及び臀部上方周辺部の編組織図。
【図５】本発明パンテイ部の臀部の編組織図。
【図６】本発明臀部の下方周辺部の編組織図。
【図７】本発明大腿部前身側並びに膝部後身側の編組織図。
【図８】本発明大腿部後身側の編組織図。
【図９】本発明膝下部から爪先部に至る部位の編組織図。
【符号の説明】
２  パンテイ部
１５  脚部
１６  前身側大腿部
１７  後身側大腿部
２０  前身側膝部
２１  後身側膝部
２４  膝下部
２５  脛部
２６  ふくらはぎ部
３０  足部
【図１】
2004346434.tif 000003
【図２】
2004346434.tif 000004
【図３】
2004346434.tif 000005
【図４】
2004346434.tif 000006
【図５】
2004346434.tif 000007
【図６】
2004346434.tif 000008
【図７】
2004346434.tif 000009
【図８】
2004346434.tif 000010
【図９】
2004346434.tif 000011